(57)【要約】【課題】動バランス性が向上した回転電機を提供する。【解決手段】各相の電力引き出し線１４〜１６をインナーロータコア５の周方向に関して等間隔をあけてコイル７から引き出すことと、インナーロータコア５の一方の端面５ａにおける第１中性点１１Ｎと、第２中性点１２Ｎと、中性点間結線１３と、第１中性点引き出し線２１Ｕ，２１Ｖ，２１Ｗと、第２中性点引き出し線２２Ｕ，２２Ｖ，２２Ｗとの位置を調節することとにより、インナーロータ４の動バランス性を向上することができる。【選択図】図２
2017005769.tif 000002
【特許請求の範囲】
【請求項１】
複数のスロットが形成されたロータコアと、前記スロットに挿入されて前記ロータコアに巻装されたコイルとを有するロータを備えた回転電機であって、
前記コイルは、三相星形結線で構成されると共に互いに並列に接続された第１星形結線部及び第２星形結線部と、該第１星形結線部及び該第２星形結線部のそれぞれに接続された各相の電力引き出し線とを備え、該電力引き出し線はそれぞれ、前記ロータコアの周方向に関して等間隔をあけて前記コイルから引き出され、
前記第１星形結線部は、第１中性点と、該第１中性点に接続される各相の第１中性点引き出し線とを備え、
前記第２星形結線部は、第２中性点と、該第２中性点に接続される各相の第２中性点引き出し線とを備え、
前記第１中性点引き出し線のそれぞれは、前記ロータコアの周方向に関して等間隔をあけて配置された３つのスロットから引き出され、
前記第２中性点引き出し線のそれぞれは、前記ロータコアの周方向に関して等間隔をあけるように前記３つのスロットの隣のスロットから引き出され、
前記第１中性点と、前記第２中性点と、前記第１中性点及び前記第２中性点を結ぶ中性点間結線と、前記第１中性点引き出し線と、前記第２中性点引き出し線とは、前記ロータコアの一方の端面上に配置され、
該一方の端面は、該一方の端面における中心点と前記第１中性点及び前記第２中性点のそれぞれとを結ぶ２つの仮想線によって第１領域及び第２領域に区画され、前記第１領域には、隣り合うスロットから引き出された同じ相の第１中性点引き出し線及び第２中性点引き出し線の組のうち、前記ロータコアの周方向に関して重ならない第１中性点引き出し線及び第２中性点引き出し線の組が配置され、前記第２領域には、前記ロータコアの半径方向に関して部分的に重なる第１中性点引き出し線及び第２中性点引き出し線の組が配置され、前記２つの第２仮想線がなす前記第１領域側の角度が１８０°以下である回転電機。
【請求項２】
前記第１領域には前記中性点間結線が配置され、
前記第２領域には、隣り合うスロットから引き出された同じ相の第１中性点引き出し線及び第２中性点引き出し線が前記ロータコアの半径方向に関して重なる部分である２つの第１重なり部分及び第２重なり部分が配置され、
前記ロータコアの周方向に関して、前記第１中性点及び前記第１重なり部分間の間隔と、前記第２中性点及び前記第２重なり部分間の間隔とが等しい、請求項１に記載の回転電機。
【請求項３】
前記第２領域には前記中性点間結線が配置され、
前記第２領域には、隣り合うスロットから引き出された同じ相の第１中性点引き出し線及び第２中性点引き出し線が前記ロータコアの半径方向に関して重なる部分である１つの重なり部分が配置され、
前記ロータコアの周方向に関して、前記第１中性点及び前記重なり部分間の間隔と、前記第２中性点及び前記重なり部分間の間隔とが等しい、請求項１に記載の回転電機。
【発明の詳細な説明】
【技術分野】
【０００１】
この発明は、回転電機に係り、特に、ロータコアにコイルが巻装されたロータを有する回転電機に関する。
【背景技術】
【０００２】
特許文献１には、ダブルロータモータを含む負荷駆動装置が記載されている。このダブルロータモータは、インナーロータと、アウターロータと、ステータとを備え、インナーロータ及びステータにはそれぞれコイルが巻かれ、アウターロータには磁石が設けられている。コイルが巻かれたインナーロータ及びステータのそれぞれには、動力引き出し線と中性点とが存在し、これらは一般的に、端子台に固定しやすいように一か所にまとめられる。
【先行技術文献】
【特許文献】
【０００３】
【特許文献１】特開平１０−１５５２６５号公報
【発明の概要】
【発明が解決しようとする課題】
【０００４】
しかしながら、回転するインナーロータでは、動力引き出し線と中性点とを一か所にまとめると重量の偏りが生じ動バランス性が悪化するため、高回転数での回転ができないといった問題点があった。また、重量の偏りがある部分が遠心力によって引っ張られてコイルエンドが変形してしまうといった問題点もあった。
【０００５】
この発明はこのような問題点を解決するためになされたもので、動バランス性が向上した回転電機を提供することを目的とする。
【課題を解決するための手段】
【０００６】
この発明に係る回転電機は、複数のスロットが形成されたロータコアと、スロットに挿入されてロータコアに巻装されたコイルとを有するロータを備えた回転電機であって、コイルは、三相星形結線で構成されると共に互いに並列に接続された第１星形結線部及び第２星形結線部と、第１星形結線部及び第２星形結線部のそれぞれに接続された各相の電力引き出し線とを備え、電力引き出し線はそれぞれ、ロータコアの周方向に関して等間隔をあけてコイルから引き出され、第１星形結線部は、第１中性点と、第１中性点に接続される各相の第１中性点引き出し線とを備え、第２星形結線部は、第２中性点と、第２中性点に接続される各相の第２中性点引き出し線とを備え、第１中性点引き出し線のそれぞれは、ロータコアの周方向に関して等間隔をあけて配置された３つのスロットから引き出され、第２中性点引き出し線のそれぞれは、ロータコアの周方向に関して等間隔をあけるように３つのスロットの隣のスロットから引き出され、第１中性点と、第２中性点と、第１中性点及び第２中性点を結ぶ中性点間結線と、第１中性点引き出し線と、第２中性点引き出し線とは、ロータコアの一方の端面上に配置され、一方の端面は、一方の端面における中心点と第１中性点及び第２中性点のそれぞれとを結ぶ２つの仮想線によって第１領域及び第２領域に区画され、第１領域には、隣り合うスロットから引き出された同じ相の第１中性点引き出し線及び第２中性点引き出し線の組のうち、ロータコアの周方向に関して重ならない第１中性点引き出し線及び第２中性点引き出し線の組が配置され、第２領域には、ロータコアの半径方向に関して部分的に重なる第１中性点引き出し線及び第２中性点引き出し線の組が配置され、２つの第２仮想線がなす第１領域側の角度が１８０°以下である。
第１領域には中性点間結線が配置され、第２領域には、隣り合うスロットから引き出された同じ相の第１中性点引き出し線及び第２中性点引き出し線がロータコアの半径方向に関して重なる部分である２つの第１重なり部分及び第２重なり部分が配置され、ロータコアの周方向に関して、第１中性点及び第１重なり部分間の間隔と、第２中性点及び第２重なり部分間の間隔とが等しくてもよい。
第２領域には中性点間結線が配置され、第２領域には、隣り合うスロットから引き出された同じ相の第１中性点引き出し線及び第２中性点引き出し線がロータコアの半径方向に関して重なる部分である１つの重なり部分が配置され、ロータコアの周方向に関して、第１中性点及び重なり部分間の間隔と、第２中性点及び重なり部分間の間隔とが等しくてもよい。
【発明の効果】
【０００７】
この発明によれば、各相の電力引き出し線をロータコアの周方向に関して等間隔をあけてコイルから引き出すことと、ロータコアの一方の端面における第１中性点と、第２中性点と、第１中性点及び第２中性点を結ぶ中性点間結線と、第１中性点引き出し線と、第２中性点引き出し線との位置を調節することとにより、ロータの動バランス性を向上することができる。
【図面の簡単な説明】
【０００８】
【図１】この発明の実施の形態１に係る回転電機の構成を示す概略断面図である。
【図２】実施の形態１に係る回転電機のインナーロータの端面の構成を示す概略平面図である。
【図３】実施の形態１に係る回転電機のインナーロータに巻装されたコイルの構成を示す概略図である。
【図４】実施の形態２に係る回転電機のインナーロータの端面の構成を示す概略平面図である。
【発明を実施するための形態】
【０００９】
以下、この発明の実施の形態を添付図面に基づいて説明する。
実施の形態１．
図１に示されるように、この実施の形態１に係る回転電機は、円筒形状のステータ２と、ステータ２の内部でステータ２に対して相対回転可能な円筒形状のアウターロータ３と、アウターロータ３の内部でアウターロータ３に対して相対回転可能な円柱形状のインナーロータ４とを備えたダブルロータモータ１である。インナーロータ４及びステータ２にはそれぞれコイル７及び８が設けられ、アウターロータ３には磁石９が設けられている。
【００１０】
図２に示されるように、インナーロータ４は円柱形状のインナーロータコア５を有している。インナーロータコア５には、その軸方向に貫通した複数のスロット６が、インナーロータコア５の周方向に等間隔で形成されている。各スロット６にはコイル７が挿入されて、インナーロータコア５にコイル７が巻装されている。
【００１１】
図３に示されるように、コイル７は、互いに並列に接続された第１星形結線部１１及び第２星形結線部１２を有している。第１星形結線部１１は、Ｕ相の導線１１Ｕと、Ｖ相の導線１１Ｖと、Ｗ相の導線１１Ｗとが三相星形結線で構成されている。第２星形結線部１２は、Ｕ相の導線１２Ｕと、Ｖ相の導線１２Ｖと、Ｗ相の導線１２Ｗとが三相星形結線で構成されている。第１星形結線部１１及び第２星形結線部１２はそれぞれ、第１中性点１１Ｎ及び第２中性点１２Ｎを有しており、第１中性点１１Ｎと第２中性点１２Ｎとは、中性点間結線１３によって接続されている。Ｕ相の導線１１Ｕ及び１２Ｕの端部は接続されてＵ相の電力引き出し線１４を構成し、Ｖ相の導線１１Ｖ及び１２Ｖの端部は接続されてＶ相の電力引き出し線１５を構成し、Ｗ相の導線１１Ｗ及び１２Ｗの端部は接続されてＷ相の電力引き出し線１６を構成している。
【００１２】
図２に示されるように、第１中性点１１Ｎと、第２中性点１２Ｎと、中性点間結線１３と、第１中性点１１Ｎに接続する各相の導線１１Ｕ，１１Ｖ，１１Ｗの一部である各相の第１中性点引き出し線２１Ｕ，２１Ｖ，２１Ｗと、第２中性点１２Ｎに接続する各相の導線１２Ｕ，１２Ｖ，１２Ｗの一部である各相の第２中性点引き出し線２２Ｕ，２２Ｖ，２２Ｗとは、インナーロータコア５の一方の端面５ａ上に配置されている。
【００１３】
第１中性点１１Ｎ及び第２中性点１２Ｎのそれぞれに接続されるＵ相の第１中性点引き出し線２１Ｕ及び第２中性点引き出し線２２Ｕは、隣り合うスロット６，６から引き出されている。第１中性点引き出し線２１Ｕ及び第２中性点引き出し線２２Ｕが引き出されるスロット６，６間で、第１中性点引き出し線２１Ｕ及び第２中性点引き出し線２２Ｕがインナーロータコア５の周方向に重ならない間隙部分３１が形成されている。第１中性点１１Ｎ及び第２中性点１２Ｎのそれぞれに接続されるＶ相の第１中性点引き出し線２１Ｖ及び第２中性点引き出し線２２Ｖと、Ｗ相の第１中性点引き出し線２１Ｗ及び第２中性点引き出し線２２Ｗとも同様に、別の隣り合うスロット６，６から引き出されている。ただし、これらはＵ相の構成と異なり、引き出されるスロット６，６間で、第１中性点引き出し線２１Ｖ及び第２中性点引き出し線２２Ｖと、第１中性点引き出し線２１Ｗ及び第２中性点引き出し線２２Ｗとのそれぞれがインナーロータコア５の半径方向に重なる第１重なり部分３２と第２重なり部分３３とが形成されている。各相の第１中性点引き出し線及び第２中性点引き出し線が引き出される各隣り合うスロットは、インナーロータコア５の周方向に関して等間隔に配置されている。
【００１４】
隣り合うスロット６，６から引き出されたＵ相の導線１１Ｕ，１２Ｕと、Ｖ相の導線１１Ｖ，１２Ｖと、Ｗ相の導線１１Ｗ，１２Ｗとはそれぞれ波巻き状にインナーロータコア５に巻装される。このとき、各相の導線が挿入されたスロットの間には、４つのスロットが存在することになる。すなわち、インナーロータコア５の周方向に関して４つ飛ばしで各相の導線がスロットに挿入される。各相の導線の端部は、各相の電力引き出し線１４〜１６として、隣り合うスロット６，６から引き出されている。電力引き出し線１４〜１６がそれぞれ引き出される隣り合うスロット６，６は、インナーロータコア５の周方向に関して等間隔に配置されたスロットである。このため、電力引き出し線１４〜１６はそれぞれ、インナーロータコア５の周方向に関して等間隔に配置されている。
【００１５】
インナーロータコア５の端面５ａにおいて、中心点Ｏから第１中性点１１Ｎ及び第２中性点１２Ｎのそれぞれに引いた仮想線Ｌ１，Ｌ２を想定する。仮想線Ｌ１，Ｌ２によって、端面５ａを２つの領域、すなわち第１領域４１と第２領域４２とに区画する。実施の形態１では、仮想線Ｌ１，Ｌ２がなす第１領域４１側の角度θは１８０°となっている。第１領域には、中性点間結線１３と、間隙部分３１を形成する第１中性点引き出し線２１Ｕ及び第２中性点引き出し線２２Ｕが配置されている。第２領域４２には、第１重なり部分３２を形成する第１中性点引き出し線２１Ｖ及び第２中性点引き出し線２２Ｖと、第２重なり部分３３を形成する第１中性点引き出し線２１Ｗ及び第２中性点引き出し線２２Ｗとが配置されている。
【００１６】
電力引き出し線１４〜１６がそれぞれインナーロータコア５の周方向に関して等間隔に配置されていることから、これらは、インナーロータコア５の周方向に関してバランスがとれている。また、第１中性点１１Ｎと第２中性点１２Ｎとは、端面５ａの中心点Ｏに関して対称な位置にあるため、これらも、インナーロータコア５の周方向に関してバランスがとれている。さらに、第１領域４１では、間隙部分３１以外の部分で、インナーロータコア５の半径方向に中性点間結線１３と第１中性点引き出し線２１Ｕ及び第２中性点引き出し線２２Ｕとの２束の構成となっており、第２領域４２では、第１重なり部分３２及び第２重なり部分３３以外の部分で、第１中性点引き出し線２１Ｖ及び第２中性点引き出し線２２Ｖと第１中性点引き出し線２１Ｗ及び第２中性点引き出し線２２Ｗとの２束の構成となっている。第１領域４１と第２領域４２とのそれぞれにおいて、間隙部分３１と第１重なり部分３２及び第２重なり部分３３とは小さな部分であるので、第１領域４１と第２領域４２とは、インナーロータコア５の周方向に関しておおよそバランスがとれているといえる。従って、インナーロータ４の動バランスが優れたものとなる。
【００１７】
ただし、厳密には、第１領域４１と第２領域４２とは、間隙部分３１と第１重なり部分３２及び第２重なり部分３３との違いの分だけバランスがとれていない。この場合、第１領域４１よりも第２領域４２のほうが重量が大きいので、仮想線Ｌ１，Ｌ２がなす第１領域４１側の角度θが１８０°未満となるように第１中性点１１Ｎ及び第２中性点１２Ｎの位置を間隙部分３１の方向にずらすことにより、インナーロータ４の動バランスを微調整することができる。尚、第１中性点１１Ｎ及び第２中性点１２Ｎの位置を間隙部分３１の方向にずらす際には、インナーロータコア５の周方向に関して、第１中性点１１Ｎ及び第１重なり部分３２間の間隔と、第２中性点１２Ｎ及び第２重なり部分３３間の間隔とが等しくなるようにすることが好ましい。インナーロータ４は、上記の構成によりおおよそ動バランスがよくなっているが、このような微調整だけで動バランスをさらに優れたものにできるので、バランス調整作業が簡単になる。
【００１８】
このように、各相の電力引き出し線１４〜１６をインナーロータコア５の周方向に関して等間隔をあけてコイル７から引き出すことと、インナーロータコア５の一方の端面５ａにおける第１中性点１１Ｎと、第２中性点１２Ｎと、中性点間結線１３と、第１中性点引き出し線２１Ｕ，２１Ｖ，２１Ｗと、第２中性点引き出し線２２Ｕ，２２Ｖ，２２Ｗとの位置を調節することとにより、インナーロータ４の動バランス性を向上することができる。
【００１９】
実施の形態１では、第１中性点引き出し線２１Ｕ及び第２中性点引き出し線２２Ｕにより間隙部分３１が形成されているが、この形態に限定するものではない。第１中性点引き出し線２１Ｖ及び第２中性点引き出し線２２Ｖ又は第１中性点引き出し線２１Ｗ及び第２中性点引き出し線２２Ｗのいずれかにより間隙部分３１が形成されてもよい。いずれの場合でも、残りの２つの相の第１中性点引き出し線及び第２中性点引き出し線により、第１重なり部分３２及び第２重なり部分３３が形成される。
【００２０】
実施の形態２．
次に、この発明の実施の形態２に係る回転電機について説明する。尚、実施の形態２において、図１〜３の参照符号と同一の符号は、同一又は同様な構成要素であるので、その詳細な説明は省略する。
この発明の実施の形態２に係る回転電機は、実施の形態１に対して、インナーロータコア５の端面５ａにおける第１中性点１１Ｎと、第２中性点１２Ｎと、中性点間結線１３と、第１中性点引き出し線２１Ｕ，２１Ｖ，２１Ｗと、第２中性点引き出し線２２Ｕ，２２Ｖ，２２Ｗとの位置を変更したものである。
【００２１】
図４に示されるように、第１中性点１１Ｎ及び第２中性点１２Ｎのそれぞれに接続されるＵ相の第１中性点引き出し線２１Ｕ及び第２中性点引き出し線２２Ｕは、隣り合うスロット６，６から引き出されている。また、第１中性点１１Ｎ及び第２中性点１２Ｎのそれぞれに接続されるＷ相の第１中性点引き出し線２１Ｗ及び第２中性点引き出し線２２Ｗも、別の隣り合うスロット６，６から引き出されている。第１中性点引き出し線２１Ｕ及び第２中性点引き出し線２２Ｕが引き出されるスロット６，６間で、第１中性点引き出し線２１Ｕ及び第２中性点引き出し線２２Ｕがインナーロータコア５の周方向に重ならない第１間隙部分３４が形成されている。第１中性点引き出し線２１Ｗ及び第２中性点引き出し線２２Ｗが引き出されるスロット６，６間で、第１中性点引き出し線２１Ｗ及び第２中性点引き出し線２２Ｗがインナーロータコア５の周方向に重ならない第２間隙部分３５が形成されている。第１中性点１１Ｎ及び第２中性点１２Ｎのそれぞれに接続されるＶ相の第１中性点引き出し線２１Ｖ及び第２中性点引き出し線２２Ｖも同様に、さらに別の隣り合うスロット６，６から引き出されている。ただし、これらはＵ相及びＷ相の構成と異なり、引き出されるスロット６，６間で、第１中性点引き出し線２１Ｖ及び第２中性点引き出し線２２Ｖがインナーロータコア５の半径方向に重なる重なり部分３６が形成されている。各相の第１中性点引き出し線及び第２中性点引き出し線が引き出される各隣り合うスロットは、インナーロータコア５の周方向に関して等間隔に配置されている。
【００２２】
実施の形態１と同じようにして、インナーロータコア５の端面５ａを第１領域４１と第２領域４２とに区画すると、第１領域には、第１間隙部分３４を形成する第１中性点引き出し線２１Ｕ及び第２中性点引き出し線２２Ｕと、第２間隙部分３５を形成する第１中性点引き出し線２１Ｗ及び第２中性点引き出し線２２Ｗとが配置されている。第２領域４２には、中性点間結線１３と、重なり部分３６を形成する第１中性点引き出し線２１Ｖ及び第２中性点引き出し線２２Ｖとが配置されている。その他の構成は、実施の形態１と同じである。
【００２３】
電力引き出し線１４〜１６と第１中性点１１Ｎ及び第２中性点１２Ｎとの配置は実施の形態１と同じであるので、これらは、インナーロータコア５の周方向に関してバランスがとれている。第１領域４１では、第１間隙部分３４及び第２間隙部分３５以外の部分で、インナーロータコア５の半径方向に第１中性点引き出し線２１Ｕ及び第２中性点引き出し線２２Ｕと第１中性点引き出し線２１Ｗ及び第２中性点引き出し線２２Ｗとの２束の構成となっており、第２領域４２では、重なり部分３６以外の部分で、第１中性点引き出し線２１Ｖ及び第２中性点引き出し線２２Ｖと中性点間結線１３との２束の構成となっている。第１領域４１と第２領域４２とのそれぞれにおいて、第１間隙部分３４及び第２間隙部分３５と重なり部分３６とは小さな部分であるので、第１領域４１と第２領域４２とは、インナーロータコア５の周方向に関しておおよそバランスがとれているといえる。従って、インナーロータ４の動バランスが優れたものとなる。
【００２４】
ただし、厳密には、第１領域４１と第２領域４２とは、第１間隙部分３４及び第２間隙部分３５と重なり部分３６との違いの分だけバランスがとれていない。この場合、第１領域４１よりも第２領域４２のほうが重量が大きいので、仮想線Ｌ１，Ｌ２がなす第１領域４１側の角度θが１８０°未満となるように第１中性点１１Ｎ及び第２中性点１２Ｎの位置を第１間隙部分３４及び第２間隙部分３５の方向にずらすことにより、インナーロータ４の動バランスを微調整することができる。尚、第１中性点１１Ｎ及び第２中性点１２Ｎの位置を第１間隙部分３４及び第２間隙部分３５の方向にずらす際には、インナーロータコア５の周方向に関して、第１中性点１１Ｎ及び重なり部分３６間の間隔と、第２中性点１２Ｎ及び重なり部分３６間の間隔とが等しくなるようにすることが好ましい。インナーロータ４は、上記の構成によりおおよそ動バランスがよくなっているが、このような微調整だけで動バランスをさらに優れたものにできるので、バランス調整作業が簡単になる。従って、実施の形態２の配置でも、実施の形態１と同じ効果を得ることができる。
【００２５】
実施の形態２では、第１中性点引き出し線２１Ｕ及び第２中性点引き出し線２２Ｕにより第１間隙部分３４が形成されると共に第１中性点引き出し線２１Ｗ及び第２中性点引き出し線２２Ｗにより第２間隙部分３５が形成されているが、この形態に限定するものではない。第１中性点引き出し線２１Ｕ及び第２中性点引き出し線２２Ｕと第１中性点引き出し線２１Ｖ及び第２中性点引き出し線２２Ｖとのそれぞれにより、第１間隙部分３４と第２間隙部分３５とが形成されてもよいし、第１中性点引き出し線２１Ｖ及び第２中性点引き出し線２２Ｖと第１中性点引き出し線２１Ｗ及び第２中性点引き出し線２２Ｗとのそれぞれにより、第１間隙部分３４と第２間隙部分３５とが形成されてもよい。いずれの場合でも、残りの１つの相の第１中性点引き出し線及び第２中性点引き出し線により、重なり部分３６が形成される。
【００２６】
実施の形態１及び２では、動バランスの微調整のために第１中性点１１Ｎ及び第２中性点１２Ｎの位置をずらす際、仮想線Ｌ１，Ｌ２がなす第１領域４１側の角度θが１８０°未満となるようにしている。第１中性点１１Ｎと第２中性点１２Ｎとは、端面５ａ上においてインナーロータコア５の周方向に関して、少なくとも離間する配置となるので、０°＜θ＜１８０°である。ただし、実際の動バランスの微調整の範囲は、１２０°≦θ＜１８０°の範囲が好ましい。
【００２７】
実施の形態１及び２では、回転電機は、ステータ２とアウターロータ３とインナーロータ４とを備えるダブルロータモータ１であったが、ステータ２のないダブルロータモータであってもよい。また、回転電機は、ロータを２つ有するダブルロータモータに限定するものではなく、コイルが巻装された１つのロータとステータとを有するモータであってもよい。
【符号の説明】
【００２８】
１  ダブルロータモータ（回転電機）、４  インナーロータ（ロータ）、５  インナーロータコア（ロータコア）、５ａ  （インナーロータコアの一方の）端面、６  スロット、７  コイル、１１  第１星形結線部、１１Ｎ  第１中性点、１２  第２星形結線部、１２Ｎ  第２中性点、１３  中性点間結線、１４，１５，１６  電力引き出し線、２１Ｕ，２１Ｖ，２１Ｗ  第１中性点引き出し線、２２Ｕ，２２Ｖ，２２Ｗ  第２中性点引き出し線、３２  第１重なり部分、３３  第２重なり部分、３６  重なり部分、４１  第１領域、４２  第２領域、Ｌ１，Ｌ２  仮想線、θ  角度。
【図１】
2017005769.tif 000003
【図２】
2017005769.tif 000004
【図３】
2017005769.tif 000005
【図４】
2017005769.tif 000006